(57)【要約】【課題】  ストッパーに無理な力が加わってもケースが変形しない建具を提供する。【解決手段】    スライド開閉自在に配置された障子の框と、開口制限ストッパーと、スペーサーを備え、開口制限ストッパーは、框の内部に室外側部分が呑み込まれて取り付けられたケースと、ケースに支持され障子の開口を制限する突出状態と障子の開口に干渉しない収納状態とを選択自在であるストッパー部材を有し、スペーサーは、框の内部に配置されており、框の室外側内壁とケースの室外側部分との間を埋めるものである。【選択図】      図１
2020125596.tif 000002
【特許請求の範囲】
【請求項１】
スライド開閉自在に配置された障子の框と、開口制限ストッパーと、スペーサーを備え、開口制限ストッパーは、框の内部に室外側部分が呑み込まれて取り付けられたケースと、ケースに支持され障子の開口を制限する突出状態と障子の開口に干渉しない収納状態とを選択自在であるストッパー部材を有し、スペーサーは、框の内部に配置されており、框の室外側内壁とケースの室外側部分との間を埋めるものであることを特徴とする建具。
【請求項２】
スライド開閉自在に配置された障子の框と、開口制限ストッパーとを備え、開口制限ストッパーは、框の内部に室外側部分が呑み込まれて取り付けられたケースと、ケースに支持され障子の開口を制限する突出状態と障子の開口に干渉しない収納状態とを選択可能であるストッパー部材を有し、ケースの室外側には底壁が取替自在に設けられており、底壁は室内外方向の厚さを変更することで框の室外側内壁に当接することを特徴とする建具。
【請求項３】
スライド開閉自在に配置された障子の框と、開口制限ストッパーとを備え、開口制限ストッパーは、框の内部に室外側部分が呑み込まれて取り付けられたケースと、ケースに支持され障子の開口を制限する突出状態と障子の開口に干渉しない収納状態とを選択可能であるストッパー部材を有し、底壁は、框の室外側内壁とケースの室外側部分との間を埋めるものであり、框の室外側内壁に当接することを特徴とする建具。
【発明の詳細な説明】
【技術分野】
【０００１】
本発明は、建具に関する。
【背景技術】
【０００２】
特許文献１には、図８に示される、ストッパーの引戸開閉方向における他方側端部をケース内に没することにより一方側端部がケースから室内側に突出したときに、一方側端部が障子当接部になるサブロック装置が開示されている。
【先行技術文献】
【特許文献】
【０００３】
【特許文献１】特許４８２９５１２号公報
【発明の概要】
【発明が解決しようとする課題】
【０００４】
しかしながら、特許文献１のサブロック装置では、下框の室外側内壁とサブロック装置のケースの室外側部分との間に空間があるため、例えば病院や老人ホーム等において室内側からストッパーを没入させようとする無理な力が加わった場合に、ストッパーに押されたケースが室外側に撓み、ストッパーの一方側端部（障子当接部）がケース内に没入してしまい障子が全開状態となる恐れがあった。
【０００５】
本発明は上記の点に鑑み、ストッパーに無理な力が加わってもケースが変形しない建具を提供することを目的とする。
【課題を解決するための手段】
【０００６】
本発明のうち請求項１の建具は、スライド開閉自在に配置された障子の框と、開口制限ストッパーと、スペーサーを備え、開口制限ストッパーは、框の内部に室外側部分が呑み込まれて取り付けられたケースと、ケースに支持され障子の開口を制限する突出状態と障子の開口に干渉しない収納状態とを選択自在であるストッパー部材を有し、スペーサーは、框の内部に配置されており、框の室外側内壁とケースの室外側部分との間を埋めるものであることを特徴とする。
【０００７】
本発明のうち請求項２の建具は、スライド開閉自在に配置された障子の框と、開口制限ストッパーとを備え、開口制限ストッパーは、框の内部に室外側部分が呑み込まれて取り付けられたケースと、ケースに支持され障子の開口を制限する突出状態と障子の開口に干渉しない収納状態とを選択可能であるストッパー部材を有し、ケースの室外側には底壁が取替自在に設けられており、底壁は室内外方向の厚さを変更することで框の室外側内壁に当接することを特徴とする。
【０００８】
本発明のうち請求項３の建具は、スライド開閉自在に配置された障子の框と、開口制限ストッパーとを備え、開口制限ストッパーは、框の内部に室外側部分が呑み込まれて取り付けられたケースと、ケースに支持され障子の開口を制限する突出状態と障子の開口に干渉しない収納状態とを選択可能であるストッパー部材を有し、底壁は、框の室外側内壁とケースの室外側部分との間を埋めるものであり、框の室外側内壁に当接することを特徴とする。
【発明の効果】
【０００９】
本発明のうち請求項１の建具によれば、框の室外側内壁とケースの室外側部分との間が、框の内部に配置されたスペーサーによって埋められているので、ストッパー部材が室内側から押された際にもケースが変形することがなく、安全性に優れる。
【００１０】
本発明のうち請求項２の建具によれば、ケースの室外側には底壁が取替自在に設けられており、底壁は室内外方向の厚さを変更することで框の室外側壁内壁に当接するので、ストッパー部材が室内側から押された際にもケースが変形することがなく、安全性に優れる。
【００１１】
本発明のうち請求項３の建具によれば、底壁は、框の室外側内壁とケースの室外側部分との間を埋めるものであって、框の室外側内壁に当接するので、ストッパー部材が室内側から押された際にもケースが変形することがなく、安全性に優れる。
【図面の簡単な説明】
【００１２】
【図１】（ａ）は図２のＡ−Ａ断面図であり、（ｂ）は第一実施形態例の開口制限ストッパーとスペーサーの斜視図である。
【図２】室内側から見た第一実施形態例の建具の、（ａ）は障子の閉状態、（ｂ）はストッパー部材時の概略図である。
【図３】第一実施形態例の、ストッパー部材の突出状態の開口制限ストッパーの部品図である。
【図４】第一実施形態例の開口制限ストッパーの、（ａ）ストッパー部材の収納状態、（ｂ）ストッパー部材の突出状態の断面図である。
【図５】第一実施形態例の建具を戸先側から見た縦断面図である。
【図６】第二実施形態例の、（ａ）は建具を戸先側から見た縦断面図であり、（ｂ）は開口制限ストッパーの斜視図である。
【図７】第二実施形態例の開口制限ストッパーの、（ａ）ストッパー部材の収納状態、（ｂ）ストッパー部材の突出状態の断面図である。
【図８】従来のサブロック装置を装着した引戸サッシの横断面図である。
【発明を実施するための形態】
【００１３】
以下、本発明の実施の形態を図面に基づいて説明する。本発明の建具の使用場所は特に限定されるものではないが、ここでは引違い窓として用いられる場合を示す。図１は（ａ）は図２のＡ−Ａ断面図であり、（ｂ）は第一実施形態例の開口制限ストッパーとスペーサーの斜視図である。図２は第一実施形態例の建具の、（ａ）障子の閉状態、（ｂ）ストッパー部材の突出時の障子の最大開口状態を示す概略図である。図３は第一実施形態例の、ストッパー部材の突出状態の開口制限ストッパーの部品図である。図４は第一実施形態例の開口制限ストッパーの、（ａ）ストッパー部材の収納状態、（ｂ）ストッパー部材の突出状態の断面図である。図５は第一実施形態例における、下框の見込方向幅の異なる建具をそれぞれ戸先側から見た縦断面図である。図６は第二実施形態例の、（ａ）は建具を戸先側から見た縦断面図であり、（ｂ）は開口制限ストッパーの斜視図である。図７は第二実施形態例の開口制限ストッパーの、（ａ）ストッパー部材の収納状態、（ｂ）ストッパー部材の突出状態の断面図である。なお、以下の説明において室内側及び室外側、戸先側及び召合せ側とは、図１，図３乃至図７に示した通りとする。
【００１４】
まず、本発明の第一実施形態に係る建具の構成について、図１乃至図５に基づき説明する。第一実施形態の建具は、図２に示すように、上枠１１、下枠１２、及び左右の縦枠１３，１３を四周組みにしてなる枠体に対して、上框、下框及び左右の縦框２１，２２を四周組みにし、内周にガラス等のパネル体を装着してなる内障子２と、上框３１，下框（框）３２及び左右の縦框３３，３３を四周組みにし、内周にガラス等のパネル体３４を装着してなる外障子（障子）３とが引違い自在に配置されてなる引違い戸として構成されている。下框３２の室内側壁３２ａには略長方形の貫通孔３２ｂが設けられており、外障子３の開口を制限するための開口制限ストッパー４が、貫通孔３２ｂから下框３２の内部へと挿入された状態で取り付けられている。開口制限ストッパー４の室外側部分には、下框３２の室外側内壁３２ｃとケース４１の底壁４１ｂ室外側部分との間を埋めるためのスペーサー５が取り付けられている。
【００１５】
開口制限ストッパー４は、図１乃至図３に示すように、下框３２の内部に室外側部分が呑み込まれて取り付けられているケース４１と、ケース４１に支持され、外障子３の開口を制限する突出状態と障子の開口に干渉しない収納状態とを選択自在であるストッパー部材４２から構成されている。ケース４１は、略直方体状の中空形状であり、室外側には略平板状の底壁４１ｂを有し、室内側の壁の周縁部にはフランジ部４１ａを有する。底壁４１ｂの戸先側には、戸先側へ突出した係合部４１ｃが設けられている。また、底壁４１ｂはケース４１に対して着脱可能に取り付けられており、その取り付け方法は、ケース４１の戸先側壁及び召合せ側壁にそれぞれ設けられた突起状の係合部４１ｋ，４１ｋ及び４１ｉに、底壁４１ｂの戸先側及び召合せ側に設けられた孔状の被係合部４１ｊ，４１ｊ及び被係合部４１ｈが係合することによる。フランジ部４１ａは、寸法が貫通孔３２ｂよりも大きく、室内側壁３２ａに室内側から当接している。ケース４１の室内側壁の中央部には、ストッパー部材４２が室内側へと突没自在に設けられている。ストッパー部材４２は召し合せ側に、突出状態において内障子２の縦框２１の見込面に戸先側から当接する当接面４２ａを有する。これにより、ストッパー部材４２の突出状態では、図２（ｂ）に示すように当接面４２ａが縦框２１に当接した状態が障子の最大開口状態となる。なお、ストッパー部材４２の突没操作は、図４に示すように、フランジ部４１ａに設けられたキーシリンダー４３に室内側からキー４４を挿入し回動させることによってなされる。ケース４１の上面及び下面には、隙間４１ｆを開けて設けられた突起状の係合部４１ｄ，４１ｅと、突起状の当接部４１ｇを有する。
【００１６】
底壁４１ｂの室外側部分には、断面視略楔状のスペーサー５が取り付けられている。スペーサー５は、下框３２の内部に配置されており、当接部５３において室外側内壁３２ｃに当接することで、下框３２の室外側内壁３２ｃとケース４１の底壁４１ｂの室外側部分との間を埋めるものである。スペーサー５は室内側の戸先側に、ケース４１の係合部４１ｃにスナップフィット係合する被係合部５１を有している。また、スペーサー５の室内側上部及び下部には、ケース４１の当接部４１ｇに室外側から当接する被当接部５４が設けられている。さらに、スペーサー５の室内側上部及び下部には、ケース４１の係合部４１ｄ，４１ｅ間に召合せ側から挿入された状態で係合する被係合部５２が設けられていて、被係合部５２の室内外方向の寸法は、係合部４１ｄ，４１ｅ間の隙間４１ｆよりも小さい。これにより、被係合部５２は係合部４１ｄ，４１ｅに室内外方向に遊びを持って係合している。上記の被係合部５１と，被当接部５４と，被係合部５２の計三箇所によって、スペーサー５はケース４１に対して室内外方向に遊びを設けて取り付けられている。
【００１７】
次に、本発明の第一実施形態の建具の構成による作用及び効果について説明する。第一実施形態の建具によれば、下框３２の室外側内壁３２ｃとケース４１の室外側部分との間が下框３２の内部に配置されたスペーサー５によって埋められているので、ストッパー部材４２が室内側から押された際にもケース４１が変形することがなく、安全性に優れる。
【００１８】
さらに、ストッパー部材４２の突没操作は、キーシリンダー４３に室内側からキー４４を挿入し回動させることによってなされるので、キー４４を持たない不特定多数の者によってストッパー部材４２が突出状態から収納状態にされることがないため、安全性に優れる。
【００１９】
また、スペーサー５はケース４１の底壁４１ｂに取替自在に取り付けられているので、図５に示すように下框３２の室内外方向の寸法に応じて、室内外方向の寸法の異なるスペーサー５に容易に付け替えることができ、施工性及び製造時の省コスト性に優れる。
【００２０】
さらに、スペーサー５はケース４１に対して室内外方向に遊びを設けて取り付けられているので、下框３２の室内外方向の寸法にわずかな違いがある場合にも取り付け可能であり、スペーサー５の被係合部５１，被当接部５４及び被係合部５２やケース４１の係合部４１ｃ，係合部４１ｄ，４１ｅ及び当接部４１ｇが破損することを防げる。
【００２１】
次いで、本発明の第二実施形態に係る建具の構成について、図６及び図７に基づき説明する。なお、第二実施形態は、第一実施形態と基本的な構成は同一であるが、以下の点で相違する。第二実施形態の建具はスペーサーを有せず、底壁６は、断面視略楔状の当接部６１を有していて、当接部６１において室外側内壁３２ｃに当接することで、下框３２の室外側内壁３２ｃとケース４１の底壁４１ｂ室外側部分との間を埋めるものである。また、底壁６はケース４１に対して着脱可能に取り付けられており、その取付方法は、ケース４１の戸先側壁及び召合せ側壁にそれぞれ設けられた突起状の係合部４１ｋ，４１ｋ及び４１ｉに、底壁６の戸先側及び召合せ側に設けられた孔状の被係合部６３，６３及び被係合部６２がそれぞれ係合することによる。
【００２２】
次に、本発明の第二実施形態の建具の構成による作用及び効果について説明する。第二実施形態の建具によれば、ケース４１の室外側に底壁６が取替自在に設けられており、底壁６は室内外方向の厚さを変更することで下框３２の室外側内壁３２ｃに当接していることで、ストッパー部材４２が室内側から押された際にもケース４１が変形することがなく、安全性に優れる。
【００２３】
さらに、ストッパー部材４２の突没操作は、キーシリンダー４３に室内側からキー４４を挿入し回動させることによってなされるので、キー４４を持たない不特定多数の者によってストッパー部材４２が突出状態から収納状態にされることがないため、安全性に優れる。
【００２４】
また、底壁６はケース４１の底壁４１ｂに取替自在に取り付けられているので、下框３２の室内外方向の寸法に応じて、当接部６１の室内外方向の厚みの異なる底壁６に容易に付け替えることができ、施工性及び製造時の省コスト性に優れる。
【００２５】
本発明は、上記の実施形態に限らず本発明の要旨を逸脱しない範囲で変形可能であり、建具の各部の形状、寸法等は適宜変更できる。また、建具は引き違い窓に限らず、上げ下げ窓であってもよい。また、開口制限ストッパーとしての用途に限らず、サブロックや換気ストッパーとして用いてもよい。
【符号の説明】
【００２６】
３          外障子（障子）
３２        下框（框）
３２ｃ      室外側内壁
４          開口制限ストッパー
４１        ケース
４１ｂ，６  底壁
４２        ストッパー部材
５          スペーサー
【図１】
2020125596.tif 000003
【図２】
2020125596.tif 000004
【図３】
2020125596.tif 000005
【図４】
2020125596.tif 000006
【図５】
2020125596.tif 000007
【図６】
2020125596.tif 000008
【図７】
2020125596.tif 000009
【図８】
2020125596.tif 000010